(57)【要約】      （修正有）【課題】ベッドからの落下や、サイドレールに脚や腕が絡まることによる負傷を生じ難くし、しかも失禁等により汚れ難く、また失禁等の汚れの処理を容易にできるようにするベッド枠体及びベッドを提供する。【解決手段】上面中央部にマット収納凹部１３が形成された発泡体製の基材と、前記基材を覆うカバー体２５とよりなるベッド枠体１０であって、前記基材の底部の裏面全体が前記カバー体を介して床面に載置されるようにした。前記カバー体２５は、防水防汚シートからなって前記基材の全面を覆い、前記基材の収納及び取り出し可能な袋体からなる。前記基材は、互いに分離可能に嵌合する複数の発泡体製ブロックにより構成される。【選択図】図１
2005027954.tif 000002
【特許請求の範囲】
【請求項１】
上面中央部にマット収納凹部（１３）が形成された発泡体製の基材（１１）と、前記基材（１１）を覆うカバー体（２５）とよりなるベッド枠体（１０）であって、前記ベッド枠体（１０）の底部裏面（１０ｃ）全体が床面に載置されることを特徴とするベッド枠体。
【請求項２】
前記カバー体（２５）が防水防汚シートで構成され、前記基材（１１）の全面を覆っていることを特徴とする請求項１に記載のベッド枠体。
【請求項３】
前記カバー体（２５）が、前記基材（１１）の収納及び取り出し可能な袋体からなり、前記基材（１１）が、互いに分離及び嵌合可能な複数の発泡体製ブロック（１５，２１）により構成されていることを特徴とする請求項１又は２に記載のベッド枠体。
【請求項４】
前記基材（１１）が連続気泡構造の軟質ポリウレタン発泡体のスラブからなることを特徴とする請求項１から３の何れか一項に記載のベッド枠体。
【請求項５】
前記ベッド枠体（１０）が、前記ベッド枠体（１０）の外面に露出するフレーム又はレール類を備えていないことを特徴とする請求項１から４の何れか一項に記載のベッド枠体。
【請求項６】
請求項１から５の何れか一項に記載のベッド枠体（１０）と、前記マット収納凹部（１３）の前記カバー体（２５）上に収納されたマット（３０）とからなり、前記ベッド枠体（１０）の底部裏面（１０ｃ）から前記マットの上面（３０ａ）までの高さ（ｈ２）が３０ｃｍを超えないことを特徴とするベッド。
【請求項７】
請求項１から５の何れか一項に記載のベッド枠体（１０）と、前記マット収納凹部（１３）の前記カバー体（２５）上に収納されたマット（３０）とからなり、前記ベッド枠体（１０）は前記マット収納凹部（１３）の幅方向両側の側部（１０ｂ，１０ｃ）が、上方へ凸の円弧状横断面形状とされると共に、前記側部（１０ｂ，１０ｃ）の頂部（ｕ１）については、前記マット収納凹部（１３）の前記カバー体（２５）上に収納された前記マット（３０）の上面（３０ａ）よりも高くされ、かつ、前記ベッド枠体（１０）の底部裏面（１０ｃ）から前記ベッド枠体（１０）の側部（１０ｂ，１０ｃ）の頂部（ｕ１）までの高さ（ｈ２）が３０ｃｍを超えないことを特徴とするベッド。
【請求項８】
前記マット（３０）が、発泡体（３１）と前記発泡体（３１）の全面を覆う防水防汚カバー（３２）とからなることを特徴とする請求項６又は７に記載のベッド。
【発明の詳細な説明】
【技術分野】
【０００１】
本発明は、介護用に適したベッド枠体及びベッドに関する。
【背景技術】
【０００２】
判断力、認識力の低下した病人においては、ベッドの高さを認識しないままベッドから離れようとして、ベッドから転落することがあり、その結果、打撲、骨折等の怪我を生じることがある。
【０００３】
また、ベッドからの転落を防止するため、金属製サイドレール（柵）をベッドに備え付けることも行われているが、その場合、金属製のサイドレールに身体をぶつけたり、腕や脚等を絡めたり、ひねったりして負傷することがある。
【特許文献１】特開２０００−２２５０３９号公報
【発明の開示】
【発明が解決しようとする課題】
【０００４】
本発明はかかる点に鑑みなされたもので、ベッドからの落下や、サイドレールに脚や腕が絡まることによる負傷を生じ難くし、しかも失禁等による汚れを抑え、また失禁等の汚れの処理を容易にするベッド枠体及びベッドの提供を目的とする。
【課題を解決するための手段】
【０００５】
請求項１の発明は、上面中央部にマット収納凹部が形成された発泡体製の基材と、前記基材を覆うカバー体とよりなるベッド枠体であって、前記ベッド枠体の底部裏面全体が床面に載置されることを特徴とする。
【０００６】
請求項２の発明は、請求項１において、前記カバー体が防水防汚シートで構成され、前記基材の全面を覆っていることを特徴とする。
【０００７】
請求項３の発明は、請求項１又は２において、前記カバー体が、前記基材の収納及び取り出し可能な袋体からなり、前記基材が、互いに分離及び嵌合可能な複数の発泡体製ブロックにより構成されていることを特徴とする。
【０００８】
請求項４の発明は、請求項１から３の何れか一項において、前記基材が連続気泡構造の軟質ポリウレタン発泡体のスラブからなることを特徴とする。
【０００９】
請求項５の発明は、請求項１から４の何れか一項において、前記ベッド枠体が、前記ベッド枠体の外面に露出するフレーム又はレール類を備えていないことを特徴とする。
【００１０】
請求項６の発明は、請求項１から５の何れか一項に記載のベッド枠体と、前記マット収納凹部の前記カバー体上に収納されたマットとからなり、前記ベッド枠体の底部裏面から前記マットの上面までの高さが３０ｃｍを超えないことを特徴とするベッドに係る。
【００１１】
請求項７の発明は、請求項１から５の何れか一項に記載のベッド枠体と、前記マット収納凹部の前記カバー体上に収納されたマットとからなり、前記ベッド枠体は前記マット収納凹部の幅方向両側の側部が、上方へ凸の円弧状横断面形状とされると共に、前記側部の頂部については、前記マット収納凹部の前記カバー体上に収納された前記マットの上面よりも高くされ、かつ、前記ベッド枠体の底部裏面から前記ベッド枠体の側部の頂部までの高さが３０ｃｍを超えないことを特徴とするベッドに係る。
【００１２】
請求項８の発明は、請求項６又は７において、前記マットが、発泡体と前記発泡体の全面を覆う防水防汚カバー体とからなることを特徴とする。
【発明の効果】
【００１３】
請求項１に記載のベッド枠体は、上面中央部にマット収納凹部が形成された発泡体製の基材と、前記基材を覆うカバー体とよりなって、前記基材の底面が前記カバー体を介して床面と接することになるため、床面から前記基材のマット収納凹部に収納されたマット上面までの高さを低くすることができる。さらに、前記マットが直接床面に露出して配置されるのと異なり、マットがベッド枠体に収納されるため、美観に優れる。しかも、本発明のベッド枠体は、発泡体製の基材をカバー体で覆ったものであるため、軽量性に優れ、取り扱いが容易である。
【００１４】
請求項２に記載のベッド枠体は、前記カバー体が防水部汚シートからなって前記基材の全面を覆っているため、大小の失禁等によって汚れにくく、また汚れた場合の処理も容易である。
【００１５】
請求項３に記載のベッド枠体は、使用しない場合、前記カバー体から前記基材を取り出して、分離させることが可能なため、コンパクトに収納することができる。
【００１６】
請求項４に記載のベッド枠体は、前記基材が連続気泡構造の軟質ポリウレタン発泡体のスラブからなるため、モールド成形品のように、発泡成形型が不要となり、安価である。
【００１７】
請求項５に記載のベッド枠体は、前記ベッド枠体の外面に露出するフレーム又はレールを備えていないため、使用者が硬いフレームやレールにぶつかったり、脚や手が絡まったりするおそれがなく、安全性が高い。
【００１８】
請求項６に記載のベッドは、発泡体製の基材をカバー体で覆った前記ベッド枠体と、前記マット収納凹部の前記カバー体上に収納されたマットとよりなるため、軽量性に優れ、取り扱いが容易である。しかも、前記ベッド枠体の底部裏面、すなわち床面載置面から前記マットの上面までの高さが３０ｃｍを超えないため、床面との高低差が小さく、万一、ベッドから落ちた場合でも、安全性が高い。
【００１９】
請求項７に記載のベッドは、発泡体製の基材をカバー体で覆った前記ベッド枠体と、前記マット収納凹部の前記カバー体上に収納されたマットとよりなるため、軽量性に優れ、取り扱いが容易である。さらに、前記ベッド枠体における前記マット収納凹部の幅方向両側の側部が、前記マット収納凹部の前記カバー体上に収納されたマットの上面よりも高くされているため、使用者が前記マット上で寝返り等によってマットの縁に至っても、前記マット上面よりも高い両側部によって使用者の身体を支え、ベッドから落ち難くできる。しかも、前記ベッド枠体の底部裏面、すなわち床面載置面から前記側部の頂部までの高さが３０ｃｍを超えないため、床面との高低差が小さく、万一、前記側部を乗り越えてベッドから落ちた場合でも、安全性が高い。また、前記側部が、上方へ凸の円弧状横断面形状とされているため、ベッドから降りたり、ベッドに上がったりする際に、前記側部の表面に引っ掛り難く、また、角部と接触して強く押されることによる不快感を生じ難くできる。
【００２０】
請求項８に記載のベッドは、前記マットが防水防汚カバーで覆われ、さらに前記ベッド枠体も防水防汚シートのカバー体で覆われているため、大小の失禁等により汚れにくく、また失禁等の際にも処理が容易である。
【発明を実施するための最良の形態】
【００２１】
図１及び図２は、本発明のベッド枠体１０及びベッド４０の一実施例の斜視図である。図１及び図２に示すベッド枠体１０は、図３に示す基材１１を、図１のようにカバー体２５で覆ったものからなり、それに対してベッド４０は、前記基材１１の上面中央部に形成されているベッド収納凹部１３における前記カバー体２５上にマット３０を収納配置したものからなる。
【００２２】
前記ベッド枠体１０の基材１１は、図３に示すように、上面中央部にマット収納凹部１３が形成された発泡体製からなり、底部１４の裏面全体が前記カバー体２５を介して床面（畳面を含む。）に接触するようになっている。本実施例では、前記基材１１及び前記マット収納凹部１３の何れも、平面視の形状が略長方形をしている。
【００２３】
前記基材１１は、分離不可能な一つの物品で構成されてもよいが、本実施例では、図４に示すように、前記基材１１の長手方向に分離可能に嵌合する二つの発泡体製ブロック１５，２１の半体からなり、一方のブロック１５が上半身を横たえる上半身側半体、他方のブロック２１が下半身を横たえる下半身側半体を構成し、各ブロック１５，２１の結合部分には、分離可能な嵌合部１６，２２が形成されている。前記嵌合部１６，２２は、本実施例では嵌合及び分離可能な凹凸形状からなるが、その他の形状や構造であってもよい。
【００２４】
さらに、前記各ブロック１５，２１は、それぞれ一つの物品で構成されていてもよいが、本実施例では、さらに複数の小ブロック１５ａ〜１５ｅ，２１ａ〜２１ｅで構成され、前記小ブロック１５ａ〜１５ｅ、２１ａ〜２１ｅが接着により結合されて前記ブロック１５，２１を形成している。前記１５ａ，２１ａは基材底部、１５ｂ，１５ｃ，２１ｂ，２１ｃは前記マット収納凹部１３の幅方向両側の側部、１５ｄは頭部側壁部、２１ｄは脚部側壁部、１５ｅ，２１ｅは前記嵌合部１６，２２を構成する小ブロックである。
【００２５】
前記基材１１における前記マット収納凹部１３の幅方向両側の側部１５ｂ，１５ｃ，２１ｂ，２１ｃは、上面ｕが上方へ凸の円弧状横断面形状からなり、これにより、前記上面ｕは前記マット収納凹部１３側及びその半体側の縁が低くなり、一種の面取りに類似した形状となっている。そのため、前記ベッド枠体１０における前記マット収納凹部１３の両側部分の側部１０ｂ，１０ｃは、図２の５−５断面を示す図５からよりよく理解されるように、上方へ凸の円弧状横断面形状となり、角の部分がないので、前記ベッドに対する乗り降り時に、ベッド使用者が前記ベッド枠体１０の側部１０ｂ，１０ｃの上面に接触した際、角の部分に接触した時のような強い圧迫感や不快感を生じ難く、しかも前記ベッド枠体１０の側部１０ｂ、１０ｃの部分に引っ掛かり難い。
【００２６】
さらに、前記基材１１の側部１５ｂ，１５ｃ，２１ｂ，２１ｃの上面ｕは、前記ベッド枠体１０における床面載置面である底部裏面１０ａから前記ベッド枠体１０の側部１０ｂ，１０ｃの頂部ｕ１までの高さｈ１が、３０ｃｍを超えないように形成されている。しかも、前記ベッド枠体１０の側部１０ｂ，１０ｃの頂部ｕ１の高さｈ１は、前記マット収納凹部１３の前記カバー体２５上に収納配置されたマット３０の上面３０ａよりも高くなるように、前記基材１１の側部１５ｂ，１５ｃ，２１ｂ，２１ｃが形成されている。これによって、前記マット３０の上面３０ａと前記ベッド枠体１０の側部１０ｂ，１０ｃの上面頂部ｕ１との間に段差を生じ、前記マット３０の上面３０ａで使用者が寝返り等の際にベッドから転落し難くできるとともに、掛け布団や毛布等がベッドから落ち難くすることができる。前記側部１０ｂ，１０ｃの頂部ｕ１と前記マット３０の上面３０ａとの段差は１０ｃｍ以内、好ましくは３〜７ｃｍである。
【００２７】
前記基材１１を構成する発泡体としては、独立気泡の発泡体でも、独立気泡の発泡体をカレンダー加工、プレス加工などにより気泡を破壊し、連通化した半連続気泡の発泡体や、連続気泡の発泡体でもよく、特に連続気泡構造の軟質ポリウレタン発泡体のスラブを用いて裁断等により所要形状にしたものは、コストや加工性等の点で好ましい。なお、スラブは、コンベアの離型紙上にポリウレタン原料を連続的に流して連続的に発泡させたブロック状のものを言う。前記独立気泡の発泡体は、ゴムスポンジ、ポリオレフィン系発泡体、ポリ酢酸ビニル発泡体等から選択できる。また、軟質のみならず半硬質ポリウレタン発泡体も使用可能である。前記基材１１として使用可能な半硬質ポリウレタン発泡体の例として、商品名：ＥＭＯ４０（株式会社イノアックコーポレーション製、密度４０±５ｋｇ／ｍ３、硬さ１２．７５Ｎ以上、引張強度１７７ｋｐａ以上、破断伸び７０％以上、圧縮残留歪み４％以下、ＪＩＳ  Ｋ  ６４００準拠）が挙げられる。
【００２８】
前記基材１１内には、強度、剛性、形状保持等のために金属又は硬質プラスチック製フレーム類を埋設してもよいが、硬いフレーム類は前記基材１１外面に露出しないようにして、使用者に触れないようにするのが好ましい。さらに、金属フレーム等の重い部材については、前記基材１１内に埋設しないようにして、前記ベッド枠体１０の軽量性を高めるのが好ましい。
【００２９】
前記カバー体２５は、防水及び防汚性のシートからなり、前記基材１１の全面を覆う袋状に形成されている。本実施例のカバー体２５は、前記基材１１の出し入れが可能なように、前記基材１１の底部裏面の周縁に相当する部位に、開閉用ファスナー２６が設けられている。前記カバー体２５を構成する防水及び防汚シートは、公知の防水処理や防汚処理を種々の生地に施したシート、あるいは生地の本来の性質として防水性及び防汚性を有するものからなる。防水及び防汚シートの一例として、人工皮革Ｇａｌａｘ（登録商標）ＭＣ（小松精練株式会社製）を挙げることができる。この人工皮革Ｇａｌａｘ（登録商標）ＭＣは、高伸縮ポリエステルニット生地に、高強度ウレタンフィルムがラミネートされたもので、前記高強度ウレタンフィルムには、制菌加工、難燃加工が施されている。制菌加工は、制菌剤をウレタン塗料に混合して生地上に塗布し、制菌剤含有ウレタンフィルムを生地上に形成することにより行われる。塗布方法は、ロールコート、グラビアコート、ドクターブレード等、種々の塗布方法を使用することができる。前記制菌剤は、市販のものを制限なく使用することができる。
【００３０】
前記構造のベッド枠体１０は、前記ベッド枠体１０の外面に露出するフレーム又はレールを備えてなく、前記基材１１がカバー体２５で覆われた状態そのままで床面に載置される。
【００３１】
前記マット収納凹部１３の前記カバー体２５上に収納されるマット３０は、発泡体３１の全面を防水防汚カバー３２で覆ったものからなり、前記マット収納凹部１３に収納された際に、前記ベッド枠体１０の底部裏面１０ａ、すなわち床面載置面から前記マット３０の上面３０ａまでの高さｈ２が３０ｃｍを超えず、さらに前記ベッド枠体１０の側部１０ｂ，１０ｃの頂部ｕ１よりも前記マット３０の上面３０ａが低くなるように寸法が設定されている。前記マット３０の発泡体３１は、前記基材１１を構成する発泡体と同様のものが使用可能であり、特に連続気泡構造の軟質ポリウレタン発泡体のスラブから形成されたものが好ましい。また、前記マット１０の防水防汚カバー３２は、前記基材１１を覆うカバー体２５と同様のシートから形成されたものが用いられる。なお、前記マット３０の発泡体３１の硬度は、前記ベッド枠体１０の側部１５ｂ，１５ｃ，２１ｂ，２１ｃの発泡体の硬度よりも低くするのが、前記ベッド枠体１０の形状維持や、前記ベッド枠体１０の側部１０ｂ，１０ｃに腰掛けた際のクッション性等の点から好ましい。具体的には、前記側部１５ｂ，１５ｃ，２１ｂ，２１ｃの発泡体の硬度は５０〜５００Ｎ、前記マット３０の発泡体３１の硬度は２０〜２００Ｎが好ましい。
【図面の簡単な説明】
【００３２】
【図１】ベッド枠体の一実施例についてカバー体の一部を切り欠いて示す斜視図及びマットの一実施例の斜視図である。
【図２】ベッドの一実施例の斜視図である。
【図３】ベッド枠体の基材の一実施例を示す斜視図である。
【図４】同基材の分解状態を示す斜視図である。
【図５】図２の５−５断面図である。
【符号の説明】
【００３３】
１０  ベッド枠体
１０ａ  ベッド枠体の底部裏面
１０ｂ，１０ｃ  ベッド枠体におけるマット収納凹部の幅方向両側の側部
１１  基材
１５，２１  発泡体製ブロック
２５  基材のカバー体
３０  マット
３１  マットの発泡体
３２  マットの防水防汚カバー
【図１】
2005027954.tif 000003
【図２】
2005027954.tif 000004
【図３】
2005027954.tif 000005
【図４】
2005027954.tif 000006
【図５】
2005027954.tif 000007